(57)【要約】      （修正有）【課題】壁掛け作業を行うときに掛止部が見えなくても、勘に頼らずに掛止用突起と掛止用受け部の位置を合わせることができるガイド付き壁掛構造を提供する。【解決手段】筐体１の天面方向から床面方向につながる掛止用突起の頭部よりも幅が広く形成された溝部２１と、溝部２１の上端に掛止用突起の頭部を掛止するための掛止用受け部１１と、掛止用受け部１１に溝部２１に沿ってかつ下側の一端を開口させて形成する垂直リブ部１２と、垂直リブ部１２から伸びており筐体の後面２と平行に形成する平行リブ部１３と、平行リブ部１３に掛止用突起の頭部より小径でかつ掛止用突起の首部よりも大径の切込み部１４と、を有し、掛止用突起の頭部と溝部２１を係合させたまま筐体１を床面方向にスライドさせることにより、掛止用突起を掛止用受け部１１までガイドし、筐体１を壁面に掛止固定する。【選択図】図１
0003179300.tif 000002
【実用新案登録請求の範囲】
【請求項１】
壁面に設けられた突起に、筐体の後面板に開口された取付け孔を係合して壁面に対して筐体を掛止固定する筐体の壁掛構造であって、
前記筐体の天面方向から床面方向につながる前記突起の頭部よりも幅が広く形成された溝部と、前記溝部の上端に前記突起の頭部を掛止するための掛止用受け部と、前記掛止用受け部に前記溝に沿ってかつ下側の一端を開口させて形成する垂直リブ部と、前記垂直リブ部から伸びており前記筐体の後面板と平行に形成する平行リブ部と、前記平行リブ部に前記突起の頭部より小径でかつ前記突起の首部よりも大径の切込み部と、を有し、
前記突起の頭部と前記溝部を係合させたまま前記筐体を床面方向にスライドさせることにより、前記突起を掛止用受け部までガイドし、前記筐体を壁面に掛止固定することを特徴とするガイド付き壁掛構造。
【考案の詳細な説明】
【技術分野】
【０００１】
本考案は、壁に対して掛止固定する筐体の壁掛構造に関する。
【背景技術】
【０００２】
従来、筐体を壁に対して掛止固定する構造として、壁面に設けられた掛止用突起に、筐体の後面板に開口された取付け孔を係合して、掛止固定していた（例えば特許文献１）。
【先行技術文献】
【特許文献】
【０００３】
【特許文献１】特開２００１−１７７２６１号公報
【考案の概要】
【考案が解決しようとする課題】
【０００４】
しかしながら、筐体の後面板に開口された取付け孔は筐体の後面にあるため筐体正面から見えず、壁掛け作業を行う際に壁面に設けられた掛止用突起と筐体の取付け孔の位置を合わせる作業は、作業者の勘で行っており、著しく作業性が悪かった。
【０００５】
上記の問題を解決するために、本考案の課題は、壁掛け作業を行うときに掛止部が見えなくても、勘に頼らずに掛止用突起と掛止用受け部の位置を合わせることができるガイド付き壁掛構造を提供する事である。
【課題を解決するための手段】
【０００６】
上記の課題を解決するために、本考案は、壁面に設けられた突起に、筐体の後面板に開口された取付け孔を係合して壁面に対して筐体を掛止固定する筐体の壁掛構造であって、前記筐体の天面方向から床面方向につながる前記突起の頭部よりも幅が広く形成された溝部と、前記溝部の上端に前記突起の頭部を掛止するための掛止用受け部と、前記掛止用受け部に前記溝に沿ってかつ下側の一端を開口させて形成する垂直リブ部と、前記垂直リブ部から伸びており前記筐体の後面板と平行に形成する平行リブ部と、前記平行リブ部に前記突起の頭部より小径でかつ前記突起の首部よりも大径の切込み部と、を有し、前記突起の頭部と前記溝部を係合させたまま前記筐体を床面方向にスライドさせることにより、前記突起を掛止用受け部までガイドし、前記筐体を壁面に掛止固定することを特徴とする。
【考案の効果】
【０００７】
本考案によれば、壁掛け作業をおこなうときは壁面に設けられた突起に対して、筐体の後面の任意の位置を押し当てて、左右方向にスライドさせ筐体の溝部と掛止用突起を係合させて、さらに筐体を溝に合わせて床面方向にスライドさせて、前記突起を掛止用受け部までガイドすることにより、作業者の勘に頼らずに位置決めを行うことができる。
【図面の簡単な説明】
【０００８】
【図１】本考案による一実施例の筐体を後面から見た斜視図である。
【図２】本考案による筐体の溝部と掛止用突起を係合させる場合の図である。
【図３】本考案による筐体の溝部と掛止用突起が係合した場合の図である。
【図４】本考案による筐体の掛止用受け部と掛止用突起が係合した場合の図である。
【考案を実施するための形態】
【０００９】
以下、図面を参照して本考案の実施の形態について詳細を説明する。図１は本考案による一実施例の筐体１を後面から見た斜視図である。筐体１の後面２には、掛止用受け部１１と、溝部２１とを有し、さらに掛止用受け部１１には切込み部１４を有する。
【００１０】
掛止用受け部１１は、溝部２１の上端に設け、後述する掛止用突起３１と係合される。溝部２１は筐体１の天面方向から床面方向に垂直に設けた溝であって、後述する掛止用突起の頭部３２の径よりも大径に形成されている。
【００１１】
また、図１Ａは掛止用受け部１１を拡大した図である。掛止用受け部１１は、垂直リブ部１２と、平行リブ部１３と、切込み部１４により構成される。
【００１２】
垂直リブ部１２は、筐体１の後面２に対して垂直方向に形成され、かつ溝部２１に沿って床面側の一端を開口させて、掛止用突起の頭部３２よりも高く形成される。平行リブ部１３は、筐体１の後面２に対して平行に形成される。切込み部１４は、平行リブ部１３に形成される切込みであって、掛止用突起の頭部３２の径よりも小径で、かつ掛止用突起の首部３３の径よりも大径に形成される。
【００１３】
以下、本考案における筐体の壁掛固定を行う作業について、図２〜４を用いて説明する。尚、図１において説明した符号については、以後の説明を省略する。図２（ａ）は、本考案による筐体１の溝部２１と掛止用突起３１を係合させる場合の、筐体１を正面から見た平面図である。また図２（ｂ）は、図２（ａ）のＡ−Ａ断面図である。掛止用突起３１は、掛止用突起の頭部３２と掛止用突起の首部３３を有する。
【００１４】
図２（ａ）において、始めに筐体１の壁掛固定を行う作業者（以下、作業者という）は、掛止用突起３１（例えばネジ）を壁面に取り付ける。次に作業者は筐体１を持って、掛止用突起３１の位置を意識せずに筐体の後面２を掛止用突起３１が取り付けられた壁面に向かって押し当てる。
【００１５】
次に、図２（ｂ）において作業者は、筐体の後面２と掛止用突起の頭部３２が接触した状態のまま、筐体１を矢印方向（すなわち左右方向）にスライドさせる。すると掛止用突起の頭部３２と筐体の後面２が擦れ合い、やがて掛止用突起の頭部３２が溝部２１に係合する。これにより、作業者は掛止用突起３１の位置を視認することなく、掛止用突起の頭部３２と溝部２１の位置を合わせて係合させることが可能である。
【００１６】
図３（ａ）は、本考案による筐体１の溝部２１と掛止用突起３１が係合した場合の、筐体１を正面から見た平面図である。また図３（ｂ）は、図３（ａ）のＢ−Ｂ断面図である。
【００１７】
図３（ａ）は、図２に示した作業によって筐体１の溝部２１と掛止用突起３１が係合された後の状態を示している。図３（ｂ）において、作業者は筐体１を矢印方向（すなわち床面方向）にスライドさせることにより、掛止用突起の頭部３２と溝部２１が擦れ合い、溝部２１に沿って掛止用突起３１を掛止用受け部１１に近づけていく。
【００１８】
図４（ａ）は、本考案による筐体１の掛止用受け部１１と掛止用突起３１が係合した場合の、筐体１を正面から見た平面図である。また図４（ｂ）は、図４（ａ）のＣ−Ｃ断面図である。図４は、筐体１が掛止用突起３１により掛止された状態を示している。
【００１９】
図４（ａ）において、作業者が筐体１を溝部２１に沿って掛止用突起３１を掛止用受け部１１に近づけていくと、やがて掛止用突起３１は掛止用受け部１１に達し、係合される。図４（ｂ）において、掛止用突起の頭部３２は溝部２１に係合しているため、溝部２１の上端に設けられた掛止用受け部１１の垂直リブ部１２と、掛止用突起の頭部３２とが突き当たることにより、作業者は掛止用突起３１の位置を視認することなく上下方向の位置を合わせることが可能である。
【００２０】
図４（ｂ）において、掛止用突起の頭部３２は垂直リブ部１２に達しており、筐体１の自重が掛止用突起３１にかかっている状態である。また、掛止用突起の首部３３が切込み部１４（本図には図示せず）を通っているため、壁面と掛止用突起の頭部３２によって平行リブ部１３が挟まれている状態である。
【００２１】
以上において、作業者が本考案の筐体１の壁掛固定を行う作業について説明した。これにより、作業者が壁掛固定の作業を行う場合に、掛止用突起３１と掛止用受け部１１を視認せずとも、筐体１を左右方向にスライドさせて掛止用突起の頭部３２と溝部２１を係合させ、さらに溝部２１に沿って床面方向にスライドさせることにより、掛止用突起３１と掛止用受け部１１が掛止される。そのため、作業者はより簡易に壁掛け作業を行うことが可能である。
【００２２】
尚、本実施例において溝部２１は筐体の後面２よりも凹んだ面を有する溝状のものとして表現しているが、本考案はこれに限定されない。例えば、貫通穴であってもよい。また溝部２１の形状としてはどのような形状であってもよく、例えば三角形であってもよい。
【符号の説明】
【００２３】
１・・・筐体
２・・・筐体の後面
１１・・・掛止用受け部
１２・・・垂直リブ部
１３・・・平行リブ部
１４・・・切込み部
２１・・・溝部
３１・・・掛止用突起
３２・・・掛止用突起の頭部
３３・・・掛止用突起の首部
【図１】
0003179300.tif 000003
【図２】
0003179300.tif 000004
【図３】
0003179300.tif 000005
【図４】
0003179300.tif 000006